(57)【要約】【課題】利用者が視聴中の放送で紹介された場所をナビゲーション装置に目的地として設定するための手間を減らす。【解決手段】サーバ装置１００は、放送局７００が提供する事前データ及び事後データ提供装置６００が提供する事後データを蓄積する。サーバ装置１００は、通信端末３００により送信されたチャンネル及び時刻を表す情報から、利用者により視聴されている番組を特定する。サーバ装置１００は、蓄積した各データから特定した番組で紹介された場所に関する情報を抽出し、通信端末３００に出力する。通信端末３００は、受信した情報により表される場所うち、利用者の操作により選択された場所の位置情報を、目的地を設定するための情報としてナビゲーション装置２００に送信する。【選択図】図１
2012073959.tif 000002
【特許請求の範囲】
【請求項１】
利用者により番組が視聴された時刻を表す第１時刻情報と当該番組が放送されたチャンネルを表すチャンネル情報とを当該利用者の通信端末から取得する第１取得手段と、
前記第１取得手段により取得された第１時刻情報及びチャンネル情報に基づいて、前記利用者が視聴していた番組のチャンネル及び当該利用者が当該番組を視聴した時刻を特定する特定手段と、
前記番組において放送された場所を表す位置情報を含む当該番組の内容を表す番組データを記憶する記憶手段から当該番組データを読み出し、前記特定手段により特定されたチャンネル及び時刻において放送された番組に対応する前記位置情報を抽出する抽出手段と、
前記抽出手段により抽出された位置情報を出力する出力手段と
を備えることを特徴とするサーバ装置。
【請求項２】
前記番組データは、
前記番組において放送された複数の場所に関して、放送が開始された開始時刻及び終了した終了時刻を表す複数の第２時刻情報を前記複数の場所毎に有し、
前記抽出手段は、
前記番組データを記憶する前記記憶手段から当該番組データを読み出し、前記複数の第２時刻情報から、前記第１時刻情報により特定される時刻を開始時刻と終了時刻との間に含むものを抽出し、
前記出力手段は、
前記抽出手段により抽出された第２時刻情報を出力する
ことを特徴とする請求項１に記載のサーバ装置。
【請求項３】
請求項１に記載のサーバ装置と、
前記出力手段により出力された位置情報を取得する第２取得手段と、前記第２取得手段により取得された位置情報が表す場所を目的地に設定する設定手段と、前記設定手段により設定された目的地までの経路の案内を制御する案内制御手段とを備えるナビゲーション装置と
を具備することを特徴とするナビゲーションシステム。
【請求項４】
放送される番組の音声及び映像を表す第１記録データを記録する記録装置を備え、
前記サーバ装置は、
前記番組データが、前記番組において放送された複数の場所に関して、放送が開始された開始時刻及び終了した終了時刻を表す複数の第２時刻情報を前記複数の場所毎に有し、
前記抽出手段が、前記番組データを記憶する前記記憶手段から当該番組データを読み出し、前記複数の第２時刻情報から、前記第１時刻情報により特定される時刻を開始時刻と終了時刻との間に含むものを抽出し、
前記出力手段が、前記抽出手段により抽出された第２時刻情報を出力し、
前記記録装置は、
前記出力手段により出力された第２時刻情報を取得する第３取得手段と、前記第３取得手段により取得された第２時刻情報に基づき、前記第１記録データのうち当該第２時刻情報により表される時刻に記録された部分を第２記録データとして切り出す切出手段と、前記切出手段により切り出された第２記録データを前記ナビゲーション装置に送信する送信手段とを備え、
前記ナビゲーション装置は、
前記送信手段により送信された第２記録データを取得する第４取得手段と、前記第４取得手段により取得された第２記録データの再生を制御する再生制御手段とを備える
ことを特徴とする請求項３に記載のナビゲーションシステム。
【請求項５】
前記ナビゲーション装置は、
前記設定手段により設定された目的地に対してあらかじめ決められた距離よりも近づいた場合に、前記第４取得手段により取得された第２記録データの再生を前記再生制御手段により制御する
ことを特徴とする請求項４に記載のナビゲーションシステム。
【請求項６】
前記ナビゲーション装置は、
画像又は映像を表示する表示手段と、
前記第２記録データにより表される映像と前記場所を表す画像とを表示させるように前記表示手段を制御する表示制御手段と、
前記画像又は前記映像を選択する選択手段と
を備え、
前記案内制御手段は、前記経路を案内するための地図であって、当該地図上の位置が前記位置情報に対応して特定される地図を表示させるように前記表示手段を制御し、
前記表示制御手段は、前記第２取得手段により取得された位置情報と前記第４取得手段により取得された第２記録データとに基づき、前記案内制御手段により制御された地図上に当該位置情報により表される位置が含まれる場合、当該位置情報に対応する場所を表す画像を前記地図上の当該位置に表示させるとともに、当該場所を放送した番組の映像を表示させるように前記表示手段を制御し、
前記設定手段は、前記表示制御手段により制御された画像又は映像が前記選択手段により選択された場合に、前記第２取得手段により取得された位置情報が表す場所に代えて、当該選択された画像又は映像が表す場所を目的地に設定する
ことを特徴とする請求項４又は５に記載のナビゲーションシステム。
【請求項７】
利用者により番組が視聴された時刻を表す第１時刻情報と当該番組が放送されたチャンネルを表すチャンネル情報とを当該利用者の通信端末から取得する第１取得ステップと、
前記第１取得ステップにおいて取得された第１時刻情報及びチャンネル情報に基づいて、前記利用者が視聴していた番組のチャンネル及び当該利用者が当該番組を視聴した時刻を特定する特定ステップと、
前記番組において放送された場所を表す位置情報を含む当該番組の内容を表す番組データを記憶する記憶手段から当該番組データを読み出し、前記特定ステップにおいて特定されたチャンネル及び時刻において放送された番組に対応する前記位置情報を抽出する抽出ステップと、
前記抽出ステップにおいて抽出された位置情報を出力する出力ステップと
を備えることを特徴とする情報出力方法。
【請求項８】
コンピュータを、
利用者により番組が視聴された時刻を表す第１時刻情報と当該番組が放送されたチャンネルを表すチャンネル情報とを当該利用者の通信端末から取得する第１取得手段と、
前記第１取得手段により取得された第１時刻情報及びチャンネル情報に基づいて、前記利用者が視聴していた番組のチャンネル及び当該利用者が当該番組を視聴した時刻を特定する特定手段と、
前記番組において放送された場所を表す位置情報を含む当該番組の内容を表す番組データを記憶する記憶手段から当該番組データを読み出し、前記特定手段により特定されたチャンネル及び時刻において放送された番組に対応する前記位置情報を抽出する抽出手段と、
前記抽出手段により抽出された位置情報を出力する出力手段
として機能させるためのプログラム。
【発明の詳細な説明】
【技術分野】
【０００１】
本発明は、目的地への経路の案内を支援する技術に関する。
【背景技術】
【０００２】
ナビゲーション装置により目的地への経路を利用者に案内する技術が知られている。特許文献１には、番組放送時に旅行先などの場所情報を記録しておかなくとも、実際にドライブする際に、過去の放送番組で紹介されるなどした場所の情報を取得し、行きたい場所を選択することで、その場所へ至る経路を設定する技術が開示されている。
【先行技術文献】
【特許文献】
【０００３】
【特許文献１】特開２００６−２５８７９４号公報
【発明の概要】
【発明が解決しようとする課題】
【０００４】
利用者が、番組で紹介された場所に興味を持ち、その場所をナビゲーション装置の目的地として設定する場合、その場所の名称や特徴から住所等の位置を表す情報を調べ、その情報に基づきナビゲーション装置を操作して目的地を設定するといった手間がかかる。
本発明は、利用者が視聴中の放送で紹介された場所をナビゲーション装置に目的地として設定するための手間を減らすことを目的とする。
【課題を解決するための手段】
【０００５】
本発明の一態様に係るサーバ装置は、利用者により番組が視聴された時刻を表す第１時刻情報と当該番組が放送されたチャンネルを表すチャンネル情報とを当該利用者の通信端末から取得する第１取得手段と、前記第１取得手段により取得された第１時刻情報及びチャンネル情報に基づいて、前記利用者が視聴していた番組のチャンネル及び当該利用者が当該番組を視聴した時刻を特定する特定手段と、前記番組において放送された場所を表す位置情報を含む当該番組の内容を表す番組データを記憶する記憶手段から当該番組データを読み出し、前記特定手段により特定されたチャンネル及び時刻において放送された番組に対応する前記位置情報を抽出する抽出手段と、前記抽出手段により抽出された位置情報を出力する出力手段とを備えることを特徴とする。
【０００６】
好ましい態様において、前記番組データは、前記番組において放送された複数の場所に関して、放送が開始された開始時刻及び終了した終了時刻を表す複数の第２時刻情報を前記複数の場所毎に有し、前記抽出手段は、前記番組データを記憶する前記記憶手段から当該番組データを読み出し、前記複数の第２時刻情報から、前記第１時刻情報により特定される時刻を開始時刻と終了時刻との間に含むものを抽出し、前記出力手段は、前記抽出手段により抽出された第２時刻情報を出力する。
【０００７】
本発明の他の態様に係るナビゲーションシステムは、請求項１に記載のサーバ装置と、前記出力手段により出力された位置情報を取得する第２取得手段と、前記第２取得手段により取得された位置情報が表す場所を目的地に設定する設定手段と、前記設定手段により設定された目的地までの経路の案内を制御する案内制御手段とを備えるナビゲーション装置とを具備することを特徴とする。
【０００８】
好ましい態様において、放送される番組の音声及び映像を表す第１記録データを記録する記録装置を備え、前記サーバ装置は、前記番組データが、前記番組において放送された複数の場所に関して、放送が開始された開始時刻及び終了した終了時刻を表す複数の第２時刻情報を前記複数の場所毎に有し、前記抽出手段が、前記番組データを記憶する前記記憶手段から当該番組データを読み出し、前記複数の第２時刻情報から、前記第１時刻情報により特定される時刻を開始時刻と終了時刻との間に含むものを抽出し、前記出力手段が、前記抽出手段により抽出された第２時刻情報を出力し、前記記録装置は、前記出力手段により出力された第２時刻情報を取得する第３取得手段と、前記第３取得手段により取得された第２時刻情報に基づき、前記第１記録データのうち当該第２時刻情報により表される時刻に記録された部分を第２記録データとして切り出す切出手段と、前記切出手段により切り出された第２記録データを前記ナビゲーション装置に送信する送信手段とを備え、前記ナビゲーション装置は、前記送信手段により送信された第２記録データを取得する第４取得手段と、前記第４取得手段により取得された第２記録データの再生を制御する再生制御手段とを備えることを特徴とする。
別の好ましい態様において、前記ナビゲーション装置は、前記設定手段により設定された目的地に対してあらかじめ決められた距離よりも近づいた場合に、前記第４取得手段により取得された第２記録データの再生を前記再生制御手段により制御する。
別の好ましい態様において、前記ナビゲーション装置は、画像又は映像を表示する表示手段と、前記第２記録データにより表される映像と前記場所を表す画像とを表示させるように前記表示手段を制御する表示制御手段と、前記画像又は前記映像を選択する選択手段とを備え、前記案内制御手段は、前記経路を案内するための地図であって、当該地図上の位置が前記位置情報に対応して特定される地図を表示させるように前記表示手段を制御し、前記表示制御手段は、前記第２取得手段により取得された位置情報と前記第４取得手段により取得された第２記録データとに基づき、前記案内制御手段により制御された地図上に当該位置情報により表される位置が含まれる場合、当該位置情報に対応する場所を表す画像を前記地図上の当該位置に表示させるとともに、当該場所を放送した番組の映像を表示させるように前記表示手段を制御し、前記設定手段は、前記表示制御手段により制御された画像又は映像が前記選択手段により選択された場合に、前記第２取得手段により取得された位置情報が表す場所に代えて、当該選択された画像又は映像が表す場所を目的地に設定する。
【０００９】
本発明の他の態様に係る情報出力方法は、利用者により番組が視聴された時刻を表す第１時刻情報と当該番組が放送されたチャンネルを表すチャンネル情報とを当該利用者の通信端末から取得する第１取得ステップと、前記第１取得ステップにおいて取得された第１時刻情報及びチャンネル情報に基づいて、前記利用者が視聴していた番組のチャンネル及び当該利用者が当該番組を視聴した時刻を特定する特定ステップと、前記番組において放送された場所を表す位置情報を含む当該番組の内容を表す番組データを記憶する記憶手段から当該番組データを読み出し、前記特定ステップにおいて特定されたチャンネル及び時刻において放送された番組に対応する前記位置情報を抽出する抽出ステップと、前記抽出ステップにおいて抽出された位置情報を出力する出力ステップとを備えることを特徴とする。
【００１０】
本発明の他の態様に係るプログラムは、コンピュータを、利用者により番組が視聴された時刻を表す第１時刻情報と当該番組が放送されたチャンネルを表すチャンネル情報とを当該利用者の通信端末から取得する第１取得手段と、前記第１取得手段により取得された第１時刻情報及びチャンネル情報に基づいて、前記利用者が視聴していた番組のチャンネル及び当該利用者が当該番組を視聴した時刻を特定する特定手段と、前記番組において放送された場所を表す位置情報を含む当該番組の内容を表す番組データを記憶する記憶手段から当該番組データを読み出し、前記特定手段により特定されたチャンネル及び時刻において放送された番組に対応する前記位置情報を抽出する抽出手段と、前記抽出手段により抽出された位置情報を出力する出力手段として機能させることを特徴とする。
【発明の効果】
【００１１】
本発明によれば、利用者が視聴中の放送で紹介された場所をナビゲーション装置に目的地として設定するための手間を減らすことが可能である。
【図面の簡単な説明】
【００１２】
【図１】実施形態に係るナビゲーションシステムの構成を示すブロック図
【図２】通信端末のハードウェア構成を示すブロック図
【図３】サーバ装置のハードウェア構成を示すブロック図
【図４】記録装置のハードウェア構成を示すブロック図
【図５】ナビゲーション装置のハードウェア構成を示すブロック図
【図６】番組データ（事前データ及び事後データ）の一例を示す図
【図７】サーバ装置が放送された場所に関する情報を抽出する処理の一例を示すシーケンスチャート
【図８】ナビゲーション装置が放送された場所への経路を案内する処理の一例を示すシーケンスチャート
【図９】通信端末の画面の一例を示す図
【図１０】サーバ装置の制御部の機能的構成を示すブロック図
【図１１】ナビゲーション装置の制御部の機能的構成を示すブロック図
【図１２】通信端末の制御部の機能的構成を示すブロック図
【図１３】記録装置の制御部の機能的構成を示すブロック図
【図１４】変形例に係る通信端末の制御部の機能的構成を示すブロック図
【図１５】変形例に係る経路を案内する処理の一例を示すシーケンスチャート
【図１６】変形例に係る処理の一例を示すシーケンスチャート
【図１７】ナビゲーション装置の画面の一例を示す図
【図１８】ナビゲーション装置の制御部の機能的構成を示すブロック図
【発明を実施するための形態】
【００１３】
［実施形態］
図１は、本発明の一実施形態であるナビゲーションシステム１０の構成を示すブロック図である。本実施形態のナビゲーションシステム１０は、サーバ装置１００と、ナビゲーション装置２００と、通信端末３００と、記録装置４００と、受像機５００と、事後データ提供装置６００と、放送局７００とを備える。
【００１４】
各放送局７００は、テレビジョン放送によって番組及び広告をそれぞれ放送する。各放送局７００は、番組及び広告の音声や映像などを表す放送データをそれぞれ送信する。各放送局７００には、決められた番号がチャンネルとして割り当てられている。ここにおいて、「チャンネル」とは、放送に用いられる周波数帯域に付けられた番号など、各放送局７００のそれぞれを区別するための番号をいう。また、各放送局７００は、ＥＰＧ（Electronic Program Guide：電子番組表）など、電子的に番組の情報を提供する仕組みに対して、放送を予定している番組の事前データを提供する。ここにおいて、「事前データ」とは、番組が放送される前にその番組を放送する放送局７００により提供される、番組の内容（放送日時や出演者、大まかな内容など）を表すデータをいう。各放送局７００は、インターネットなどのネットワークＮＷ１を介して上述した仕組みに対して事前データを提供する。
【００１５】
事後データ提供装置６００は、各放送局７００によりそれぞれ放送された番組の内容に基づき、事後データを提供する。ここにおいて、「事後データ」とは、番組の内容を表すデータであって、番組が放送された後に事後データ提供装置６００により提供されるデータをいう。具体的には、事後データは、放送されている番組を見ている人間が必要なことを手作業で調べたり時刻を確認したりすることによって作成される。事後データは、番組が開始した時刻及び終了した時刻の情報や番組の中で放送された場所に関する情報、番組の詳細な内容とそれが放送された時刻（例えば、月、日、時、分及び秒）とが対応づけられた情報などを有する。事後データにおいては、放送された番組毎にこれらの情報が作成されている。本実施形態においては、これらの情報は、いずれも時刻及びチャンネルを表す情報と対応づけられており、各番組が開始した時刻及び終了した時刻の情報に基づき、対応する番組が特定される。ここで、一般的な番組は、実際に放送されるまで個々の内容がどの時刻に放送されるかがわからない場合が多く、内容毎に放送される時刻が事前に決まっていたとしても、放送時の事情により変更されることもある。また、生放送の番組は、番組の内容自体が実際に放送されるまで確定しない。つまり、事後データは、本当に放送された内容とそれが実際に放送された時刻とが対応づけられる点で、事前データと異なる。事後データ提供装置６００は、インターネットなどのネットワークＮＷ１を介して事後データを提供する。以下においては、事前データ及び事後データを含む番組の内容を表すデータを「番組データ」という。
【００１６】
受像機５００は、各放送局７００からそれぞれ送信される放送データを受信して、番組や広告を再生する。受像機５００は、チャンネルを切り替えることで、各チャンネルに対応する放送局７００により送信された放送データが表す音声及び映像を再生する。
【００１７】
通信端末３００は、ナビゲーションシステム１０においては、住宅２０に設置された受像機５００により再生される番組又は広告が視聴されている環境で利用される。以下においては、通信端末３００及び受像機５００を利用する者を「利用者」という。通信端末３００は、所定の無線通信事業者により提供される無線通信サービスを用いて通信を行う無線通信端末であり、例えば、携帯電話機やスマートフォンである。通信端末３００は、受像機５００を遠隔操作（リモートコントロール）する機能を有し、この機能により受像機５００のチャンネルを変更する。また、通信端末３００は、受像機５００により再生されている番組を視聴する利用者から、そのとき視聴している番組をブックマークする操作を受け付ける機能を有する。ここにおいて、「ブックマークする」とは、利用者が視聴中の番組に関連する情報を利用者が後から容易に取得できるようにすることをいう。このブックマークの操作が利用者により行われると、通信端末３００は、利用者により番組が視聴された時刻を表す情報（以下「第１時刻情報」という。）とその番組が放送されたチャンネルを表す情報（以下「チャンネル情報」という。）とを生成する。通信端末３００は、生成した情報を、ネットワークＮＷ１と接続する通信回線などのネットワークＮＷ２を介してサーバ装置１００に送信する。また、通信端末３００は、住宅庭内ＬＡＮ（Local Area Network）などのネットワークＮＷ３と無線で接続し、ネットワークＮＷ３を介して記録装置４００又はナビゲーション装置２００に各種データを送信する。
【００１８】
サーバ装置１００は、ネットワークＮＷ１と接続し、ネットワークＮＷ１及びネットワークＮＷ２を介して各放送局７００、事後データ提供装置６００及び通信端末３００のそれぞれとの間でデータを出力又は取得する。サーバ装置１００は、各放送局７００及び事後データ提供装置６００によりそれぞれ提供される番組データを記憶して蓄積する。サーバ装置１００は、通信端末３００からチャンネル情報及び第１時刻情報を取得し、取得したこれらの情報に基づいて、利用者が視聴していた番組のチャンネル及びその利用者がその番組を視聴した時刻を特定する。サーバ装置１００は、蓄積した番組データを読み出し、特定したチャンネル及び時刻の番組において放送された場所に関する情報を読み出した番組データから抽出する。このときサーバ装置１００により抽出される情報には、上述した場所を表す位置情報と、その場所に関して放送されている時刻を表す情報（以下「第２時刻情報」という。）とが含まれる。ここにおいて、「位置情報」とは、放送されたものや場所の位置（又はこれと同一視し得る位置）を表す情報をいい、本実施形態においては、緯度及び経度である。また、第２時刻情報は、番組において放送された場所に関して、放送が開始された開始時刻及び終了した終了時刻を表す情報である。番組データは、番組において放送された複数の場所に関して、複数の第２時刻情報をこれら複数の場所毎に有する。サーバ装置１００は、抽出したこれらの情報を、通信端末３００に出力する。これらの情報は、通信端末３００を介して、記録装置４００及びナビゲーション装置２００に送信される。
【００１９】
記録装置４００は、受像機５００と接続し、受像機５００が再生する番組の音声及び映像を表す記録データを記録する。以下においては、番組の放送中に記録されるその番組の記録データを「第１記録データ」という。また、記録装置４００は、サーバ装置１００により抽出された第２時刻情報に基づき、第１記録データのうち第２時刻情報により表される時刻に記録された部分を第２記録データとして切り出す。記録装置４００により切り出された第２記録データは、放送された番組において、第２時刻情報により表される時刻に放送されたシーンの音声及び映像を表す。記録装置４００は、切り出した第２記録データを、ネットワークＮＷ３を介してナビゲーション装置２００に送信する。
【００２０】
ナビゲーション装置２００は、自動車３０に搭載され、利用者に対して音声や映像により目的地までの経路を案内する。本実施形態においては、自動車３０は、電気自動車であり、ナビゲーション装置２００は、充電のため自動車３０に接続される電源ケーブルを介してネットワークＮＷ３と接続される。ナビゲーション装置２００は、サーバ装置１００により抽出された位置情報に基づき、その位置情報が表す場所を目的地に設定する。また、ナビゲーション装置２００は、記録装置４００により送信された第２記録データを記憶し、あらかじめ決められた条件が満たされた場合にこれを再生する。ナビゲーション装置２００は、例えば、自動車３０から目的地までの距離があらかじめ決められた閾値以下になった場合に第２記録データを再生する。
【００２１】
図２は、通信端末３００のハードウェア構成を示すブロック図である。通信端末３００は、制御部３１０と、第１通信部３２０と、記憶部３３０と、操作部３４０と、表示部３５０と、第２通信部３６０と、第３通信部３７０と、音声処理部３８０とを備える。制御部３１０は、ＣＰＵ（Central Processing Unit）等の演算処理装置と主記憶装置に相当するメモリとを備え、プログラムを実行することによって通信端末３００の各部の動作を制御する。第１通信部３２０は、ネットワークＮＷ２と通信を行うためのインターフェースを備え、サーバ装置１００との間でデータを送信及び受信する。記憶部３３０は、フラッシュメモリ等の補助記憶装置に相当する記憶手段を備え、制御部３１０が処理を実行するために用いられるデータを記憶する。また、記憶部３３０は、サーバ装置１００により出力された情報などを記憶する。操作部３４０は、キーパッド等の入力手段を備え、操作されるとその操作の内容を制御部３１０に通知する。表示部３５０は、液晶ディスプレイ等の表示媒体やその駆動手段を備え、所定の画面に画像を表示する。
【００２２】
第２通信部３６０は、無線ＬＡＮなどの通信手段によりネットワークＮＷ３と通信を行うためのインターフェースを備え、ナビゲーション装置２００及び記録装置４００との間でデータを送信及び受信する。第３通信部３７０は、ＩｒＤＡ（Infrared Data Association）などの通信規格に準拠した通信手段で信号を送信するためのインターフェースを備える。第３通信部３７０は、この通信手段により、受像機５００に対して受像機５００をリモートコントロールするための信号を送信する。音声処理部３８０は、マイクロフォン、スピーカ及びＤＳＰ（Digital Signal Processor）等の音声処理回路を有し、マイクロフォンによる収音内容を表す収音信号を音声処理回路により生成して出力するとともに、制御部３１０の制御により入力される音声信号に対し音声処理回路により音声処理を行って、その音声信号に応じた音をスピーカから出力させる。
【００２３】
図３は、サーバ装置１００のハードウェア構成を示すブロック図である。サーバ装置１００は、制御部１１０と、通信部１２０と、記憶部１３０とを備える。制御部１１０は、ＣＰＵ等の演算処理装置と主記憶装置に相当するメモリとを備え、プログラムを実行することによってサーバ装置１００の各部の動作を制御する。通信部１２０は、ネットワークＮＷ２を介して通信端末３００と通信を行うためのインターフェースである。記憶部１３０は、フラッシュメモリ等の補助記憶装置に相当する記憶手段を備え、制御部１１０の処理に用いられるデータを記憶する。また、記憶部１３０は、上述した番組データ（事前データ及び事後データ）を記憶する。記憶部１３０は、本発明に係る「記憶手段」の一例に相当する。
【００２４】
図４は、記録装置４００のハードウェア構成を示すブロック図である。記録装置４００は、制御部４１０と、第１通信部４２０と、記憶部４３０と、操作部４４０と、第２通信部４５０とを備える。制御部４１０は、ＣＰＵ等の演算処理装置と主記憶装置に相当するメモリとを備え、プログラムを実行することによって記録装置４００の各部の動作を制御する。第１通信部４２０は、受像機５００と音声データ及び映像データの入力と出力を行うためのインターフェースであり、例えばオーディオ信号の入出力端子及びビデオ信号の入出力端子である。記憶部４３０は、フラッシュメモリ等の補助記憶装置に相当する記憶手段を備え、制御部４１０が処理に用いるデータ及び記録した記録データ等を記憶している。操作部４４０は、操作用のボタン等の入力手段を備え、操作されるとその操作の内容を制御部４１０に通知する。第２通信部４５０は、ネットワークＮＷ３を介してナビゲーション装置２００及び通信端末３００と通信を行うためのインターフェースであり、例えばＬＡＮポートである。
【００２５】
図５は、ナビゲーション装置２００のハードウェア構成を示すブロック図である。ナビゲーション装置２００は、制御部２１０と、接続部２２０と、記憶部２３０と、操作部２４０と、表示部２５０と、測位部２６０と、音声処理部２７０とを備える。制御部２１０は、ＣＰＵ等の演算処理装置と主記憶装置に相当するメモリとを備え、プログラムを実行することによってナビゲーション装置２００の各部の動作を制御する。接続部２２０は、ネットワークＮＷ３と通信を行うためのインターフェースを備え、通信端末３００及び記録装置４００との間でデータを送信及び受信する。記憶部２３０は、制御部２１０が処理を実行するために用いられるデータを記憶している。また、記憶部２３０は、目的地までの経路を案内するために必要なデータ（地図、地名及びこれらを説明する音声等）を記憶する。ここで記憶されている地図は、地図上の位置が上述した位置情報に対応して特定される。操作部２４０は、操作用のボタン等の入力手段を備え、操作されるとその操作の内容を制御部２１０に通知する。表示部２５０は、液晶ディスプレイ等の表示媒体やその駆動手段を備え、所定の画面に地図、画像又は映像を表示する。
【００２６】
測位部２６０は、ナビゲーション装置２００の位置情報を取得する手段である。測位部２６０は、例えば、ＧＰＳ（Global Positioning System）を用いて位置情報を取得する。測位部２６０は、位置情報を取得すると、これを制御部２１０に供給する。音声処理部２７０は、スピーカ及びＤＳＰ等の音声処理回路を有し、制御部２１０の制御により入力される音声信号に対し音声処理回路により音声処理を行って、その音声信号に応じた音声をスピーカから出力させる。
【００２７】
図６は、番組データ（事前データ及び事後データ）の一例を示す図である。図６に示す例では、ある日の８時から９時にチャンネル１１及び１３で放送された番組の事前データの一部及び事後データの一部が示されている。また、図６においては、第２時刻情報の時分秒のみを示している。図６（ａ）は、チャンネル１１における番組データの一部を示している。事前データには、番組の内容として、番組名、放送日時、見どころ、出演者及び概要を表す情報が含まれている。また、事後データには、番組の内容として、番組で紹介された様々なもの（映画、本、店舗又は観光地等）を表す情報と、これらのうち場所が関連するものについて、その関連する場所の名称、位置情報及び第２時刻情報とが含まれている。この例では、事後データには、番組で紹介されたものとして「乙が行きつけの店」、関連する場所の名称として「店舗Ａ」、店舗Ａの位置情報（北緯３５度３３分、東経１３９度３３分）及び店舗Ａの第２時刻情報（開始時刻が８時１２分０秒、終了時刻が８時１５分３０秒）等が含まれている。図６（ｂ）は、チャンネル１３における番組データの一部を示している。この例では、事後データには、番組で紹介されたものとして「庚がロケした遊園地」、関連する場所の名称として「遊園地Ｇ」、遊園地Ｇの位置情報（北緯３４度３３分、東経１３５度３３分）及び遊園地Ｇの第２時刻情報（開始時刻が８時５分０秒、終了時刻が８時９分３０秒）等が含まれている。
【００２８】
図７は、サーバ装置が放送された場所に関する情報を抽出する処理の一例を示すシーケンスチャートである。また、図８は、ナビゲーション装置２００が放送された場所への経路を案内する処理の一例を示すシーケンスチャートである。図７及び図８では複数の放送局７００のうち１つのみが記載されているが、各放送局７００は、それぞれが図７に示す動作をする。また、図７及び図８の例では、利用者は、通信端末３００に対応する受像機５００により再生されている番組又は広告を視聴しているものとする。
【００２９】
複数の放送局７００は、番組を放送する１ヶ月程前から実際に放送するまでの間に、その番組の事前データを作成する。そして、複数の放送局７００は、あらかじめ決められた日時に事前データをサーバ装置１００にそれぞれ送信する（ステップＳ１１０）。サーバ装置１００は、放送局７００により送信された事前データを通信部１２０を介して受信し、記憶部１３０に蓄積する（ステップＳ１２０）。
【００３０】
続いて、複数の放送局７００は、放送データをそれぞれ送信する（ステップＳ１３０、Ｓ１４０）。受像機５００は、放送局７００により送信された放送データを受信し、この放送データが表す番組の音声及び映像を再生する。記録装置４００は、受像機５００が再生する音声及び映像を記録する。記録装置４００は、記録した第１記録データを記憶部４３０に記憶する。（ステップＳ１５０）
【００３１】
利用者は、受像機５００により再生されている番組を視聴する際、通信端末３００の画面に表示される情報を見る場合がある。
図９は、通信端末３００が表示する画面の一例である。通信端末３００は、本実施形態においては、専用のアプリケーションソフトウェアを用いて図９に示す画面を表示する。図９（ａ）は、利用者が視聴している番組の情報を表示している画面を示している。この例では、通信端末３００は、視聴されている番組のチャンネル、その番組の事前データにより表される情報及び「気になる！」という文字列を含んだ画像４０Ａを表示している。通信端末３００は、利用者が操作部３４０を操作することにより画像４０Ａが選択された場合、視聴中の番組をブックマークするための操作を利用者が行ったと判断する（ステップＳ１６０）。そして、通信端末３００は、画像４０Ａが選択されたときに表示しているチャンネルを表すチャンネル情報と、画像４０Ａが選択された時刻を表す情報、すなわち、番組が視聴された時刻（第１時刻情報）を生成する。そして、通信端末３００は、生成したこれらの情報を第１通信部３２０を介してサーバ装置１００に送信する（ステップＳ１７０）。サーバ装置１００は、通信端末３００により送信された情報を通信部１２０を介して取得する。サーバ装置１００は、通信端末３００により送信されたチャンネル情報及び第１時刻情報に基づき、利用者が視聴した番組が放送されたチャンネル及び時刻を特定する（ステップＳ１８０）。
【００３２】
また、事後データ提供装置６００は、ステップＳ１４０において送信された放送データにより表される番組から、事後データを作成する。そして、事後データ提供装置６００は、作成した事後データを可能な限り早くサーバ装置１００に送信する（ステップＳ１９０）。本実施形態においては、事後データ提供装置６００は、早ければ放送後５分から１０分後に、遅くとも数時間後に事後データをサーバ装置１００に送信する。サーバ装置１００は、事後データ提供装置６００により送信された事後データを記憶部１３０に蓄積する（ステップＳ２００）。
【００３３】
そして、サーバ装置１００は、蓄積した番組データ（事前データ及び事後データ）から、ステップＳ１８０において特定したチャンネル及び時刻に放送された番組に対応する情報を抽出する（ステップＳ２１０）。具体的には、サーバ装置１００は、その番組において放送された場所の位置情報及び第２時刻情報を少なくとも含む情報を抽出する。本実施形態においては、サーバ装置１００は、これらの情報に加え、その場所の名称と付帯する情報（店の形態、平均予算など）とを抽出する。サーバ装置１００は、図８に示すように、抽出したこれらの情報を、通信端末３００に出力する（ステップＳ２２０）。通信端末３００は、サーバ装置１００により出力された情報を第１通信部３２０を介して取得する。
【００３４】
通信端末３００は、サーバ装置１００により出力されたこれらの情報のうち、場所の名称を表示部３５０に表示する。
図９（ｂ）は、利用者が画像４０Ａを選択した後に表示される画面を示している。通信端末３００は、サーバ装置１００により出力された情報に基づき、番組で紹介された場所の名称を表す画像４０Ｂを表示している。この例では、通信端末３００は、「店舗Ａ」、「飲食店Ｂ」、「飲食店Ｃ」、「飲食店Ｄ」、「Ｅ高原」、「旅館Ｆ」をそれぞれ表した複数の矩形の画像からなる画像４０Ｂを表示している。通信端末３００は、利用者が操作部３４０を操作することにより画像４０Ｂに含まれる矩形の画像のいずれかが選択された場合、選択された画像により表される場所の詳細な情報を画面に表示する。
【００３５】
図９（ｃ）は、利用者が画像４０Ｂのいずれかを選択した後に表示される画面を示している。この例では、図９（ｂ）の画面において、「飲食店Ｄ」を表す画像が利用者により選択されたものとする。通信端末３００は、サーバ装置１００により出力された情報に基づき、選択された場所である「飲食店Ｄ」の詳細な情報を表示している。また、通信端末３００は、「カーナビの目的地に設定」という文字列を含む画像４０Ｃと「カーナビにシーンを転送」という文字列を含む画像４０Ｄとを表示している。ここでいう「カーナビ」は、ナビゲーション装置２００のことである。通信端末３００は、利用者の操作により画像４０Ｃが選択された場合（ステップＳ２３０）、選択された場所をナビゲーション装置２００の目的地に設定するよう利用者により指示されたと判断する。そして、通信端末３００は、サーバ装置１００により出力された「飲食店Ｄ」の位置情報をナビゲーション装置２００に送信する（ステップＳ２４０）。ナビゲーション装置２００は、サーバ装置１００により出力された位置情報を、通信端末３００を介して取得する。ナビゲーション装置２００は、取得した位置情報に基づき、目的地を設定する（ステップＳ２５０）。
【００３６】
利用者により画像４０Ｄが選択された場合（ステップＳ２６０）、通信端末３００は、選択されたその場所が放送されたシーンをナビゲーション装置２００に転送するよう利用者により指示されたと判断する。そして、通信端末３００は、サーバ装置１００により出力された「飲食店Ｄ」を放送していた時刻を表す情報（すなわち第２時刻情報）を記録装置４００に送信する（ステップＳ２７０）。記録装置４００は、サーバ装置１００により出力された第２時刻情報を通信端末３００を介して取得する。記録装置４００は、蓄積した番組の第１記録データから、取得した第２時刻情報に対応する時刻に放送されたシーンの第２記録データを切り出す（ステップＳ２８０）。そして、記録装置４００は、切り出した第２記録データをナビゲーション装置２００に送信する（ステップＳ２９０）。ナビゲーション装置２００は、記録装置４００により送信された第２記録データを接続部２２０を介して取得し、記憶部２３０に記憶する。
【００３７】
ナビゲーション装置２００は、利用者が自動車３０を運転する場合、ステップＳ２５０において設定された目的地までの経路を案内する（ステップＳ３００）。具体的には、ナビゲーション装置２００は、測位部２６０により取得した位置情報に基づき、自動車３０が今いる位置から目的地までの経路を地図に重ねて画面に表示する。そして、ナビゲーション装置２００は、経路における特定の箇所（交差点や高速道路出入口など）に差し掛かる前に音声処理部２７０によりその旨を知らせる音声を出力する。そして、ナビゲーション装置２００は、ステップＳ２９０において記録装置４００により送信された第２記録データをあらかじめ決められたタイミングで再生する（ステップＳ３１０）。具体的には、ナビゲーション装置２００は、測位部２６０により取得した位置情報に基づき、目的地に対してあらかじめ決められた距離よりも近づいたか否かを判断する。そして、近づいたと判断した場合、ナビゲーション装置２００は、記憶部２３０に記憶された第２記録データを表示部２５０により再生する。
【００３８】
以上のとおり、本実施形態のナビゲーションシステム１０によれば、利用者が視聴中の番組で紹介された場所の名称のメモを取ったりその名称を入力して検索したりすることなく、ナビゲーション装置２００が目的地を設定することが可能である。よって、ナビゲーションシステム１０は、利用者が視聴中の放送で紹介された場所をナビゲーション装置に目的地として設定するための手間を減らすことを可能とするものである。
また、本実施形態のナビゲーションシステム１０によれば、記録装置４００が上述した番組を記録している場合に、上述した場所に関連するシーンの第２記録データをナビゲーション装置２００で再生することが可能である。よって、ナビゲーションシステム１０は、利用者が目的地を正しく設定することを支援することが可能である。
【００３９】
以下、図１０から図１３にかけて、サーバ装置１００、ナビゲーション装置２００、通信端末３００及び記録装置４００の各制御部の機能的構成をブロック図を用いて示す。
図１０は、サーバ装置１００の制御部１１０の機能的構成を示すブロック図である。取得部１１１は、通信端末３００から第１時刻情報及びチャンネル情報を取得し、取得した情報を特定部１１２に供給する。取得部１１１は、本発明に係る「第１取得手段」の一例に相当する。特定部１１２は、供給された情報に基づき、利用者が視聴した番組のチャンネルとその利用者がその番組を視聴した時刻とを特定し、特定したチャンネル及び時刻を表す情報を抽出部１１３に供給する。特定部１１２は、本発明に係る「特定手段」の一例に相当する。抽出部１１３は、記憶部１３０から番組データを読み出し、読み出した番組データから、特定部１１２により特定されたチャンネル及び時刻に対応する番組に関する情報（位置情報及び第２時刻情報）を抽出し、抽出した情報を出力部１１４に供給する。抽出部１１３は、本発明に係る「抽出手段」の一例に相当する。出力部１１４は、抽出した情報を出力する。
【００４０】
図１１は、ナビゲーション装置２００の制御部２１０の機能的構成を示すブロック図である。第１取得部２１１は、通信端末３００により送信された位置情報を取得し、取得した位置情報を設定部２１２に供給する。第１取得部２１１は、本発明に係る「第２取得手段」の一例に相当する。設定部２１２は、第１取得部２１１により供給された位置情報に基づき、目的地を設定し、設定した目的地を表す情報を案内制御部２１３に供給する。設定部２１２は、本発明に係る「設定手段」の一例に相当する。案内制御部２１３は、記憶部２３０に記憶されている経路を案内するための地図であって、地図上の位置が位置情報に対応して特定される地図を表示させるように表示部２５０を制御するとともに、設定された目的地までの経路を案内するよう、各部を制御する。案内制御部２１３は、本発明に係る「案内制御手段」の一例に相当する。第２取得部２１４は、記録装置４００により送信された第２記録データを取得し、取得した第２記録データを再生制御部２１５に供給する。第２取得部２１４は、本発明に係る「第４取得手段」の一例に相当する。再生制御部２１５は、供給された第２記録データを再生するよう、各部を制御する。再生制御部２１５は、本発明に係る「再生制御手段」の一例に相当する。
【００４１】
図１２は、通信端末３００の制御部３１０の機能的構成を示すブロック図である。第１判断部３１１は、操作部３４０から通知される操作の内容から、利用者により番組をブックマークするための操作が行われたか否かを判断する。第１判断部３１１は、上述した操作が行われたと判断した場合、その旨を表す情報を生成部３１２に供給する。生成部３１２は、第１判断部３１１により上述した情報が供給された場合、チャンネル情報及び第１時刻情報を生成する。取得部３１４は、サーバ装置１００により出力された情報を取得し、取得した情報を第２判断部３１５に供給する。第２判断部３１５は、ナビゲーション装置２００による目的地の設定又は記録装置４００による第２記録データの抽出を指示されたか否かを判断する。送信部３１３は、生成又は取得した情報をサーバ装置１００、ナビゲーション装置２００及び記録装置４００に送信する。
【００４２】
図１３は、記録装置４００の制御部４１０の機能的構成を示すブロック図である。取得部４１１は、通信端末３００により送信された第２時刻情報を取得し、取得した第２時刻情報を切出部４１２に供給する。取得部４１１は、本発明に係る「第３取得手段」の一例に相当する。切出部４１２は、供給された第２時刻情報に基づき第１記録データから第２記録データを切り出し、送信部４１３に供給する。切出部４１２は、本発明に係る「切出手段」の一例に相当する。送信部４１３は、第２記録データをナビゲーション装置２００に送信する。送信部４１３は、本発明に係る「送信手段」の一例に相当する。
【００４３】
［変形例］
上述した実施形態は、本発明の実施の一例にすぎない。本発明は、上述した実施形態に対して、以下の変形を適用することが可能である。なお、以下に示す変形例は、必要に応じて、各々を適当に組み合わせて実施されてもよいものである。
【００４４】
（変形例１）
上述した実施形態において、ナビゲーション装置２００は、記録装置４００により送信された第２記録データを様々な条件に基づき再生してもよい。例えば、ナビゲーション装置２００は、第２記録データを、利用者により操作されることを条件として再生してもよいし、経路を案内している最中にあらかじめ決められた時刻になることを条件として再生してもよい。
【００４５】
（変形例２）
ナビゲーション装置２００は、上述した実施形態において、ネットワークＮＷ３を介して位置情報及び第２記録データを取得したが、その他の方法でこれらの情報及びデータを取得してもよい。例えば、ナビゲーション装置２００、通信端末３００及び記録装置４００は、電波又は赤外線等により無線通信を行う機能をそれぞれ有し、情報やデータを相互に直接送信したり受信したりすればよい。また、ナビゲーション装置２００、通信端末３００及び記録装置４００は、ＳＤメモリーカードなどのメモリ媒体の読み取りや書き込みをする機能をそれぞれ有してもよい。この場合、ナビゲーション装置２００は、そのメモリ媒体を介して通信端末３００から位置情報を取得し、記録装置４００から第２記録データを取得する。ナビゲーション装置２００は、自動車３０が電気自動車でない場合であっても、上述した方法のいずれかにより位置情報及び第２記録データを取得すればよい。
【００４６】
（変形例３）
サーバ装置１００は、記憶部１３０に限らず、ネットワークＮＷ１に接続する外部装置に蓄積された番組データから位置情報及び第２時刻情報を抽出してもよい。例えば、サーバ装置１００は、ネットワークＮＷ１を介して接続する記憶装置や各放送局７００及び事後データ提供装置６００などを外部装置として用いてもよい。この場合、サーバ装置１００は、各外部装置に記憶された番組データをネットワークＮＷ１を介して参照し、特定したチャンネル及び時刻に対応する位置情報及び第２時刻情報を抽出する。各外部装置は、本発明に係る「記憶手段」の一例に相当する。
【００４７】
（変形例４）
サーバ装置１００は、特定した場所の名称、位置情報及び第２時刻情報を、通信端末３００を介さずに、直接ナビゲーション装置２００又は記録装置４００に送信してもよい。例えば、ネットワークＮＷ３がネットワークＮＷ１と接続し、サーバ装置１００は、ネットワークＮＷ１及びＮＷ３を介してナビゲーション装置２００又は記録装置４００にこれらの情報を送信する。この場合、利用者は、ナビゲーション装置２００を操作して、サーバ装置１００により出力された場所の名称から、目的地とする場所を選択する。ナビゲーション装置２００は、選択された場所の位置情報に基づき目的地を設定する。また、記録装置４００は、サーバ装置１００により出力された第２時刻情報を取得した場合、第１記録データから第２時刻情報に対応する第２記録データを切り出し、ナビゲーション装置２００に送信する。
【００４８】
（変形例５）
通信端末３００は、ネットワークＮＷ３と通信するための通信手段を無線ＬＡＮに限定されない。通信端末３００は、例えば、Ｂｌｕｅｔｏｏｔｈ（登録商標）又はＩｒＤＡ等の通信規格に準拠した通信手段を用いてネットワークＮＷ３と通信してもよい。
【００４９】
（変形例６）
通信端末３００は、ナビゲーション装置２００又は記録装置４００に対して送信した情報（位置情報又は第２時刻情報）が届かない場合に、その情報を再送信してもよい。例えば、通信端末３００は、送信が失敗した情報を記憶部３３０に記憶する。そして、通信端末３００は、こうして記憶した時刻からあらかじめ決められた時間が経過した場合に、記憶した情報を元々の送信先の装置（ナビゲーション装置２００又は記録装置４００）に対して再送信する。通信端末３００は、送信したデータをこれらの装置が受信することが確認できるまで、再送信を繰り返してもよい。
【００５０】
図１４は、本変形例に係る通信端末装置の制御部３１０ａの機能的構成を示すブロック図である。制御部３１０ａは、上述した実施形態の制御部３１０と共通する構成を含むが、送信部３１３に代えて送信部３１３ａを備え、再送信制御部３１６ａを備える点が異なる。送信部３１３ａは、位置情報などをナビゲーション装置２００などに送信する際、その情報を再送信制御部３１６ａにも供給する。再送信制御部３１６ａは、供給された情報を記憶部３３０に記憶させる。ここで、電源ケーブルが自動車３０に接続されていない場合、送信部３１３ａが送信した情報がナビゲーション装置２００に届かず、送信が失敗する。この場合、本変形例においては、送信が失敗したことを表す情報がネットワークＮＷ１、ＮＷ２、ＮＷ３に接続するルータ等から通信端末３００に対して送信される。再送信制御部３１６ａは、受信した情報により送信が失敗したと判断し、記憶部３３０に記憶させた情報を送信部３１３ａに供給する。送信部３１３ａは、供給された情報を再度ナビゲーション装置２００などに送信する。
【００５１】
図１５は、本変形例に係るナビゲーション装置が放送された場所への経路を案内する処理の一例を示すシーケンスチャートである。図８に示すシーケンスチャートとは、制御部３１０ａを有する通信端末３００ａが情報の送信に失敗した場合、その情報を再送信する点で異なる。通信端末３００ａは、ステップＳ２４０又はステップＳ２７０において送信した情報がナビゲーション装置２００又は記録装置４００に届かない場合、届かなかった情報を再送信する処理を行う（ステップＳ３２０）。通信端末３００ａは、この情報が送信先の装置に届くまで、ステップＳ２４０又はステップＳ２７０の処理とステップＳ３２０の処理とを繰り返す。
【００５２】
（変形例７）
上述した変形例６においては、通信端末３００ａが各情報を再送信したが、他の装置が再送信してもよい。例えば、ネットワークＮＷ３に接続されたルータやＨＧＷ（Home Gate Way：ホームゲートウェイ）が行ってもよい。また、ネットワークＮＷ１とネットワークＮＷ３が接続されている場合であれば、サーバ装置１００が各情報をナビゲーション装置２００及び記録装置４００に対して再送信してもよい。
【００５３】
（変形例８）
サーバ装置１００は、複数の第２時刻情報から、第１時刻情報により特定される時刻を開始時刻と終了時刻との間に含むものを抽出してもよい。この場合、サーバ装置１００は、抽出した第２時刻情報により表される開始時刻と終了時刻との間の時刻に対応する場所の名称、位置情報及び付帯する情報等を抽出すればよい。また、複数の第２時刻情報がいずれも互いに共通する時刻を有しない場合は、サーバ装置１００が抽出する第２時刻情報は一つのみとなる。
【００５４】
（変形例９）
通信端末３００は、サーバ装置１００により送信される情報により表される場所が、一カ所である場合、図９（ｂ）に示した場所を選択する画面を表示することなく、図９（ｃ）に示した場所に関する詳細な情報を表示してもよい。この場合、通信端末３００は、利用者に場所を選択する操作をさせることなく、表示した場所に基づき目的地の設定又は第２記録データの送信を選択させればよい。
【００５５】
（変形例１０）
事後データにおいては、各情報が番組を識別する情報と対応付けられていてもよい。この場合、サーバ装置１００は、第１時刻情報から番組を特定し、特定した番組を識別する情報に基づいて位置情報及び第２時刻情報を抽出すればよい。
【００５６】
（変形例１１）
通信端末３００は、上述した実施形態においては、携帯電話機やスマートフォンであったが、通信機能を有する受像機５００を遠隔操作する装置（いわゆるリモコン）であってもよい。この場合も、通信端末３００は、上述した第１通信部３２０、記憶部３３０、操作部３４０、表示部３５０、第２通信部３６０、第３通信部３７０に相当する機能を有していればよい。
【００５７】
（変形例１２）
通信端末３００は、上述した実施形態において表示した画像４０Ａ、４０Ｂ、４０Ｃ、４０Ｄや番組データが表す情報を画面に表示させるため、専用のアプリケーションソフトウェアに限らず、ブラウザを用いてもよい。この場合、サーバ装置１００は、これらの画像及び情報をブラウザに表示させるための情報を通信端末３００に送信する。
【００５８】
（変形例１３）
ナビゲーションシステム１０においては、位置情報は、緯度及び経度以外の情報であってもよく、それに基づきナビゲーション装置２００が目的地を設定できる情報であればよい。例えば、ナビゲーション装置２００が住所、電話番号又は施設名等で目的地を設定できる機能を有していれば、これらを表す情報が位置情報として用いられてもよい。
【００５９】
（変形例１４）
番組データには、上述した実施形態に示したもの以外に、様々な付帯する情報が含まれていてもよい。例えば、これらのデータには、紹介された店舗で利用できるクーポンや特売などの情報が含まれていてもよい。
【００６０】
（変形例１５）
本発明は、サーバ装置だけでなく、サーバ装置を含むナビゲーションシステムのいずれにも特定され得るものである。また、本発明は、コンピュータをサーバ装置として機能させるためのプログラムとしても特定され得るものである。かかるプログラムは、光ディスク等の記録媒体に記録した形態で提供されたり、インターネット等のネットワークを介して、コンピュータにダウンロードさせ、これをインストールして利用可能にするなどの形態で提供されたりすることも可能である。
【００６１】
（変形例１６）
本発明に係るナビゲーション装置２００は、取得した場所に関する情報に基づいて、それらの場所を表す画像（アイコン）を地図上に重ねて表示したり、それらの場所が放送された番組のシーンを表す映像を表示したりすることで、目的地が選択されるようにしてもよい。
【００６２】
図１６は、本変形例に係る処理の一例を示すシーケンスチャートである。図１６に示す例においては、ネットワークＮＷ３がネットワークＮＷ１と接続し、サーバ装置１００がネットワークＮＷ３を介して記録装置４００と直接通信するものとする。サーバ装置１００は、ステップＳ１８０において特定した番組に対応する情報を抽出する（ステップＳ２１０）。ここで抽出される情報は、ステップＳ１６０においてブックマークされた番組で放送された全ての場所に関する情報であり、これらの場所の位置情報、第２時刻情報、名称情報、付帯する情報などを含んだ情報である。サーバ装置１００は、抽出したこれらの情報を、記録装置４００に出力する（ステップＳ３３０）。記録装置４００は、取得した情報を記憶し、蓄積した第１記録データから、取得した第２時刻情報に対応する時刻に放送されたシーンの第２記録データを切り出す（ステップＳ３４０）。そして、記録装置４００は、切り出した第２記録データを取得した情報とともにナビゲーション装置２００に送信する（ステップＳ３５０）。ナビゲーション装置２００は、取得したこれらの情報を記憶する（ステップＳ３６０）。
【００６３】
ナビゲーション装置２００は、利用者が自動車３０の運転を開始する際、目的地を設定するための地図を表示する場合がある。ナビゲーション装置２００は、ステップＳ３６０において記憶した位置情報により表される位置が表示部２５０に表示する地図上に含まれる場合、その位置情報に対応する場所を表すアイコンを地図上の該当する位置に表示するとともに、その場所を放送した番組の映像を表示する（ステップＳ３７０）。
図１７は、ナビゲーション装置２００の画面の一例を示す図である。図１７（ａ）は、経路が案内される前の地図上にアイコンが表示されている画面を示している。ナビゲーション装置２００は、場所Ａ、Ｂ、Ｃ、Ｄ表すアイコンを地図上の該当する位置に表示し、これらの場所を放送した番組の映像を画面上の地図と重ならない位置に表示している。これらの映像は、各場所を放送した番組を記録した第２記録データにより表される映像である。なお、ナビゲーション装置２００は、これらの映像を地図上に重ねて表示してもよい。
【００６４】
ナビゲーション装置２００は、利用者の操作によりこれらの映像のいずれかが選択された場合、選択された映像により表される場所に対応する第２記録データを再生する（ステップＳ３８０）。図１７（ｂ）は、場所Ａが放送されたシーンを表す第２記録データが再生されている画面を示している。ナビゲーション装置２００は、第２記録データを再生するとともに、これに対応する場所の名称情報や付帯する情報と、「目的地に設定しますか？」という文字列を含んだ画像４０Ｅとを表示する。ナビゲーション装置２００は、利用者の操作により画像４０Ｅが選択された場合に、場所Ａを表す映像が選択されたと判断し、場所Ａに対応する位置情報に基づいて場所Ａを目的地に設定する（ステップＳ３９０）。なお、ナビゲーション装置２００は、図１７（ａ）に示すアイコンが利用者の操作により選択された場合に、選択されたアイコンに対応する場所の位置情報に基づいてその場所を目的地に設定してもよい。
【００６５】
ナビゲーション装置２００は、利用者が自動車３０を運転する場合、ステップＳ３８０において設定された目的地までの経路を案内する（ステップＳ４００）。経路を案内している間、ナビゲーション装置２００は、測位部２６０により取得した位置情報に基づき、この位置情報により表される位置を含む地図をあらかじめ選択されている縮尺で表示する。そして、ナビゲーション装置２００は、ステップＳ３６０において記憶した情報により表される場所のうち、表示する地図に含まれる場所を表すアイコン及び映像を画面に表示する（ステップＳ４１０）。図１７（ｃ）は、経路を案内するための地図、アイコン及び映像が表示されている画面を示している。ナビゲーション装置２００は、場所Ａ、Ｅ、Ｆ、Ｇを地図上に示し、これらの場所を表す映像を画面に示している。ナビゲーション装置２００は、利用者の操作によりこれらの映像のいずれかが選択された場合、その映像に対応する第２記録データを再生する（ステップＳ４２０）。この場合も、ナビゲーション装置２００は、ステップＳ３９０と同様の処理を行い、利用者の操作により、選択された映像に対応する場所を目的地に設定する（ステップＳ４３０）。
【００６６】
図１８は、ナビゲーション装置２００の制御部２１０の機能的構成を示すブロック図である。図１８は、図１１に表示制御部２１６及び選択部２１７を加えたものであり、図１１と相違する点を説明する。第１取得部２１１は、取得した位置情報を表示制御部２１６に供給する。第２取得部２１４は、取得した第２記録データを表示制御部２１６に供給する。案内制御部２１３は、表示部２５０を制御して表示させている地図上の領域を示すデータを表示制御部２１６に供給する。表示制御部２１６は、供給された位置情報により表される位置が表示されている地図上に含まれる場合、この位置情報に対応する場所を表す画像を地図上の該当する位置に重ねて表示させるとともに、この場所を放送した番組の映像を表示させるよう、表示部２５０を制御する。表示制御部２１６は、本発明に係る「表示制御手段」の一例に相当する。表示制御部２１６は、表示部２５０を制御して表示させた画像又は映像に対応する位置情報を選択部２１７に供給する。選択部２１７は、操作部２４０から通知された操作の内容に基づき利用者により選択された画像又は映像を判断し、これらに対応する位置情報を設定部２１２に供給する。設定部２１２は、第１取得部２１１により供給された位置情報が表す場所に代えて、選択部２１７により供給された位置情報が表す場所を目的地に設定し、設定した目的地を表す情報を案内制御部２１３に供給する。
【００６７】
以上のとおり、本変形例に係るナビゲーションシステム１０によれば、利用者が自動車を運転する場合に、過去にブックマークされた番組で放送された全ての場所の中からその場所に関する情報を見ながら目的地を設定することが可能である。よって、ナビゲーションシステム１０は、利用者が過去に視聴した放送で紹介された場所を自動車の運転中に目的地として設定するための手間を減らし、かつ、目的地を正しく設定することを支援することが可能である。
【符号の説明】
【００６８】
１０…ナビゲーションシステム、２０…住宅、３０…自動車、１００…サーバ装置、１１０…制御部、１２０…通信部、１３０…記憶部、２００…ナビゲーション装置、２１０…制御部、２２０…接続部、２３０…記憶部、２４０…操作部、２５０…表示部、２６０…測位部、２７０…音声処理部、３００…通信端末、３１０…制御部、３２０…第１通信部、３３０…記憶部、３４０…操作部、３５０…表示部、３６０…第２通信部、３７０…第３通信部、３８０…音声処理部、４００…記録装置、４１０…制御部、４２０…第１通信部、４３０…記憶部、４４０…操作部、４５０…第２通信部、５００…受像機、６００…事後データ提供装置、７００…放送局
【図１】
2012073959.tif 000003
【図２】
2012073959.tif 000004
【図３】
2012073959.tif 000005
【図４】
2012073959.tif 000006
【図５】
2012073959.tif 000007
【図６】
2012073959.tif 000008
【図７】
2012073959.tif 000009
【図８】
2012073959.tif 000010
【図９】
2012073959.tif 000011
【図１０】
2012073959.tif 000012
【図１１】
2012073959.tif 000013
【図１２】
2012073959.tif 000014
【図１３】
2012073959.tif 000015
【図１４】
2012073959.tif 000016
【図１５】
2012073959.tif 000017
【図１６】
2012073959.tif 000018
【図１７】
2012073959.tif 000019
【図１８】
2012073959.tif 000020